(57)【要約】【課題】  外部の通信装置から送出される無線信号を検出し，無線信号を受信していることを利用者に報知することが可能な無線通信装置，無線信号処理方法，およびコンピュータプログラムを提供することである。【解決手段】  上記無線通信装置（１０１，１０３）は，外部の通信装置から送出される無線信号の強度について検知し，該無線信号の強度が所定の強度を超えたことを示す検知信号を生成する検知部と；上記検知部により検知信号が生成されると，上記無線信号を検出したことを報知する報知部と；上記無線信号を解析し，その無線信号が示す内容を解釈する制御部と；少なくとも上記無線信号の強度と，該無線信号が示す内容とを基に，ログを出力するログ出力部とを備えることを特徴する。【選択図】    図１
2006352574.tif 000002
【特許請求の範囲】
【請求項１】
外部の通信装置から送出される無線信号の強度について検知し，該無線信号の強度が所定の強度を超えたことを示す検知信号を生成する検知部と；
前記検知部により検知信号が生成されると，前記無線信号を検出したことを報知する報知部と；
前記無線信号を解析し，その無線信号が示す内容を解釈する制御部と；
少なくとも前記無線信号の強度と，該無線信号が示す内容とを基に，ログを出力するログ出力部とを備えることを特徴とする，無線通信装置。
【請求項２】
前記報知部は，前記無線信号が解析された結果，その無線信号が示す内容を報知することを特徴とする，請求項１に記載の無線通信装置。
【請求項３】
前記制御部は，前記無線信号を解析した結果，その無線信号が示す内容に応じて，前記報知部により報知させるか否かを決定することを特徴とする，請求項１に記載の無線通信装置。
【請求項４】
前記制御部は，前記解析した無線信号が所定の情報に対してアクセスする信号である場合，前記報知部に報知させることを特徴とする，請求項１に記載の無線通信装置。
【請求項５】
前記無線通信装置は，位置を測定する測位部をさらに備え，
前記ログ出力部は，前記測位部により測定された位置を示す測位情報と，前記無線信号の強度と，該無線信号が示す内容とを基にしてログを出力することを特徴とする，請求項１に記載の無線通信装置。
【請求項６】
前記制御部は，前記検知部により生成された検知信号と，前記無線信号を解析し該無線信号が示す内容と，前記測位情報とを基にして，前記報知部により報知させるか否かを決定することを特徴とする，請求項５に記載の無線通信装置。
【請求項７】
前記無線通信装置は，前記制御部からの指示に従い，前記外部の通信装置により送出された無線信号のうち全部又は一部を無効化する無効化部をさらに備えることを特徴とする，請求項１に記載の無線通信装置。
【請求項８】
前記制御部は，前記無効化部に対し指示する度に又は予めに，利用者から前記無線信号を無効化することについて許可を受付けた場合，前記無効化部に対し無線信号を無効化するように指示することを特徴とする，請求項７に記載の無線通信装置。
【請求項９】
前記制御部は，前記外部の通信装置から送出された無線信号を解析した結果，該無線信号が所定の情報に対してアクセスするコマンド信号である場合，前記無線信号を無効化することを決定することを特徴とする，請求項７に記載の無線通信装置。
【請求項１０】
外部の通信装置から送出される無線信号の強度について検知する検知工程と；
前記無線信号の強度が所定の強度を超えたことを示す検知信号を生成する検知信号生成工程と；
前記検知信号が生成されると，前記無線信号を検出したことを報知する報知工程と；
少なくとも前記無線信号の強度と該無線信号の解析結果とを基にしてログを出力するログ出力工程とを含むことを特徴とする，無線信号処理方法。
【請求項１１】
前記報知工程と前記ログ出力工程とは並列的に実行されることを特徴とする，請求項１０に記載の無線信号処理方法。
【請求項１２】
前記報知工程では，前記無線信号を解析した結果，その無線信号が示す内容に応じて，その無線信号の内容を報知するか否かが決定されることを特徴とする，請求項１０に記載の無線信号処理方法。
【請求項１３】
前記外部の通信装置から送出された無線信号が所定の情報に対してアクセスする信号である場合，報知することが決定されることを特徴とする，請求項１０に記載の無線信号処理方法。
【請求項１４】
前記無線信号処理方法は，前記外部の通信装置からの無線信号のうち全部又は一部を無効化する無効化工程をさらに含むことを特徴とする，請求項１０に記載の無線信号処理方法。
【請求項１５】
前記無効化工程では，前記無効化工程が行われる度に又は予めに，利用者から該無効化工程を実行することについて許可を受付けた場合，前記無線信号を無効化することを特徴とする，請求項１４に記載の無線信号処理方法。
【請求項１６】
前記無効化工程では，前記外部の通信装置から送出された無線信号を解析した結果，該無線信号が所定の情報に対してアクセスするコマンド信号である場合，前記無線信号を無効化することを決定することを特徴とする，請求項１４に記載の無線信号処理方法。
【請求項１７】
外部の通信装置から送出される無線信号の強度について検知する検知工程と；
前記無線信号の強度が所定の強度を超えたことを示す検知信号を生成する検知信号生成工程と；
前記検知信号と，前記無線信号を解析し該無線信号が示す内容とを基にして，該無線信号が示す内容を報知するか否かを判断する判断工程と；
前記無線信号を検出したことを報知する報知工程と；
少なくとも前記無線信号の強度と該無線信号の解析結果とを基にしてログを出力するログ出力工程とを含むことを特徴とする，無線信号処理方法。
【請求項１８】
コンピュータをして，外部の通信装置から送出される無線信号の強度について検知し，該無線信号の強度が所定の強度を超えたことを示す検知信号を生成する検知手段と；
前記検知信号が生成されると，前記無線信号を検出したことを報知する報知手段と；
前記無線信号を解析し，その無線信号が示す内容を解釈する制御手段と；
少なくとも前記無線信号の強度と，該無線信号が示す内容とを基に，ログを出力するログ出力手段とを含んで，無線通信装置として機能させることを特徴とする，コンピュータプログラム。
【発明の詳細な説明】
【技術分野】
【０００１】
本発明は外部と無線通信可能な無線通信装置に関する。
【背景技術】
【０００２】
情報技術の発達に伴い，現在では無線通信可能な非接触型ＩＣカードを利用して，例えば，駅の改札口に設けられた自動改札機を開閉させて利用者は改札口を出入りしたり，携帯電話機に非接触型ＩＣチップを内蔵させて，その携帯電話機でショッピングしたりすることが可能となっている。
【０００３】
非接触型ＩＣカードの技術開発は著しく，セキュリティ上，データ処理時間が短時間である等の点で優れ，非接触型ＩＣカードは，現在では交通機関の入場システムや，出退勤システムなど広範囲に，無線通信可能な無線通信装置として，または，無線通信装置に組み込み可能なモジュール等として使用されている。
【０００４】
上記のように，非接触型ＩＣカード内の情報を読み書きするためには，非接触型ＩＣカードと無線通信可能なリーダ／ライタ等に対して，利用者が非接触型ＩＣカードをかざす必要があった。
【０００５】
一方で，非接触型ＩＣカードとリーダ／ライタの間では，無線通信によって情報がやりとりされるため，正常に通信が行われているか否かを確認するために，非接触型ＩＣカードがモジュールとして組み込まれた携帯電話機側からユーザに対し非接触型ＩＣカードによる通信が正常に行われたことを伝達するシステムが存在する（例えば，特許文献１，参照）。
【０００６】
【特許文献１】特開２００３−６０７４８号公報
【発明の開示】
【発明が解決しようとする課題】
【０００７】
しかしながら，ユーザが非接触型ＩＣカードと外部リーダ／ライタとの間で通信が正常に行われたことを確認することができるのは，外部リーダ／ライタが，非接触型ＩＣカードにポーリングした後に限られていた。
【０００８】
また，非接触型ＩＣカードはリーダ／ライタにかざす場合のみならず，非接触型ＩＣカードと無線通信可能な通信装置から無線信号が送出された場合，非接触型ＩＣカードが上記通信装置と通信可能な範囲内に存在すれば，その無線信号を送出した通信装置と非接触型ＩＣカードは無線通信できる。
【０００９】
したがって，利用者の意図しない状況で，非接触型ＩＣカードと外部の通信装置のお互いが無線通信を行い，接続認証しなくとも非接触型ＩＣカードに格納されたノンセキュアな情報が利用者の無意識のうちに外部の通信装置によって取得される可能性があった。
【００１０】
さらに，非接触型ＩＣカードに記憶された情報をアクセスし得る無線信号（コマンド）が外部の通信装置によって送出され，その無線信号を非接触型ＩＣカードが受信していることを，利用者は確認する手段がなかった。
【００１１】
本発明は，上記問題点に鑑みてなされたものであり，本発明の目的は，外部の通信装置から送出される無線信号を検出し，無線信号を受信していることを利用者に報知することが可能な，新規かつ改良された無線通信装置，無線信号処理方法，およびコンピュータプログラムを提供することである。
【課題を解決するための手段】
【００１２】
上記課題を解決するため，本発明の第１の観点によれば，外部の通信装置から送出される無線信号の強度について検知し，該無線信号の強度が所定の強度を超えたことを示す検知信号を生成する検知部と；上記検知部により検知信号が生成されると，上記無線信号を検出したことを報知する報知部と；上記無線信号を解析し，その無線信号が示す内容を解釈する制御部と；少なくとも上記無線信号の強度と，該無線信号が示す内容とを基に，ログを出力するログ出力部とを備えることを特徴としている無線通信装置が提供される。かかる構成によれば，検出された外部の無線信号を，その無線信号の強度とともにログ出力するとともに，利用者に報知することが出来る。
【００１３】
上記報知部は，上記無線信号が解析された結果，その無線信号が示す内容を報知するように構成しても良い。かかる構成により，利用者は報知部からの報知により検知された無線信号の内容を把握することができ，その対応策などをとることができる。
【００１４】
上記制御部は，上記無線信号を解析した結果，その無線信号が示す内容に応じて，上記報知部により報知させるか否かを決定するようにしてもよい。かかる構成により，より的確に，確実に利用者に伝達することができ，また不要な報知を未然に排除することができる。
【００１５】
上記制御部は，上記解析した無線信号が所定の情報に対してアクセスする信号である場合，上記報知部に報知させるようにしてもよい。
【００１６】
上記無線通信装置は，位置を測定する測位部をさらに備え，上記ログ出力部は，上記測位部により測定された位置を示す測位情報と，上記無線信号の強度と，該無線信号が示す内容とを基にしてログを出力するようにしてもよい。
【００１７】
上記制御部は，上記検知部により生成された検知信号と，上記無線信号を解析し該無線信号が示す内容と，上記測位情報とを基にして，上記報知部により報知させるか否かを決定するようにしてもよい。
【００１８】
上記無線通信装置は，上記制御部からの指示に従い，上記外部の通信装置により送出された無線信号のうち全部又は一部を無効化する無効化部をさらに備えるようにしてもよい。
【００１９】
上記制御部は，上記無効化部に対し指示する度に又は予めに，利用者から上記無線信号を無効化することについて許可を受付けた場合，上記無効化部に対し無線信号を無効化するように指示してもよい。かかる構成により，利用者の要求に柔軟に対応することができる。なお，所定時間内に上記無効化することについて許可を受付けなかった場合，例えば，上記制御部は，無線信号の内容に応じて，または，強制的に，無線信号を無効化するように無効化部に指示してもよい。
【００２０】
上記制御部は，上記外部の通信装置から送出された無線信号を解析した結果，該無線信号が所定の情報に対してアクセスするコマンド信号である場合，上記無線信号を無効化することを決定するように構成しても良い。なお，上記所定の情報は，ノンセキュア情報や，セキュア情報等を例示することができる。
【００２１】
上記課題を解決するために，本発明の別の観点によれば，外部の通信装置から送出される無線信号（又は，電波）の強度について検知する検知工程と；上記無線信号の強度が所定の強度を超えたことを示す検知信号を生成する検知信号生成工程と；上記検知信号が生成されると，上記無線信号を検出したことを報知する報知工程とを含むことを特徴としている無線信号処理方法が提供される。
【００２２】
上記無線信号処理方法は，少なくとも上記無線信号の強度と該無線信号の解析結果とを基にしてログを出力するログ出力工程とをさらに含むようにしてもよい。
【００２３】
上記報知工程と上記ログ出力工程とは並列的に実行されるようにしてもよい。なお，上記報知工程とログ出力工程の実行開始タイミングは，例えば略同時に開始しても良い。
【００２４】
上記報知工程は，上記検知信号が生成されると，上記無線信号が解析された結果，その無線信号が示す内容を報知するようにしてもよい。
【００２５】
上記報知工程では，上記無線信号を解析した結果，その無線信号が示す内容に応じて，その無線信号の内容を報知する可否を決定するようにしてもよい。
【００２６】
上記外部の通信装置から送出された無線信号が所定の情報に対してアクセスする信号である場合，報知することを決定してもよい。
【００２７】
上記無線信号処理方法は，位置を測定する測位工程をさらに含み，上記ログ出力工程では，上記測位工程により測定された位置を示す測位情報も基にしてログを出力してもよい。
【００２８】
上記無線信号処理方法は，上記外部の通信装置からの無線信号のうち全部又は一部を無効化する無効化工程をさらに含むようにしてもよい。
【００２９】
上記無効化工程では，上記無効化工程が行われる度に又は予めに，利用者から該無効化工程を実行することについて許可を受付けた場合，上記無線信号を無効化するようにしてもよい。
【００３０】
上記無効化工程では，上記外部の通信装置から送出された無線信号を解析した結果，該無線信号が所定の情報に対してアクセスするコマンド信号である場合，上記無線信号を無効化するように構成しても良い。
【００３１】
上記課題を解決するために，本発明の別の観点によれば，外部の通信装置から送出される無線信号の強度について検知する検知工程と；上記無線信号の強度が所定の強度を超えたことを示す検知信号を生成する検知信号生成工程と；上記検知信号と，上記無線信号を解析し該無線信号が示す内容とを基にして，該無線信号が示す内容を報知するか否かを判断する判断工程と；上記無線信号を検出したことを報知する報知工程とを含むことを特徴としている無線信号処理方法が提供される。
【００３２】
上記課題を解決するために，本発明の別の観点によれば，コンピュータをして，外部の通信装置から送出される無線信号の強度について検知し，該無線信号の強度が所定の強度を超えたことを示す検知信号を生成する検知手段と；上記検知信号が生成されると，無線信号を検出したことを報知する報知手段と；無線信号を解析し，その無線信号が示す内容を解釈する制御手段と；少なくとも無線信号の強度と，該無線信号が示す内容とを基に，ログを出力するログ出力手段とを含んで，無線通信装置として機能させることを特徴としているコンピュータプログラムが提供される。
【発明の効果】
【００３３】
以上説明したように，本発明によれば，無線信号の電波強度を検知することで，無線信号が自装置に送信されていることを利用者に的確に報知することができる。また，自装置に送信された無線信号を拒否することができる。
【発明を実施するための最良の形態】
【００３４】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００３５】
（第１の実施の形態）
図１〜図３を参照しながら，第１の実施の形態にかかる非接触型ＩＣカード１０１について説明する。なお，図１は，第１の実施の形態にかかる非接触型ＩＣカード１０１の概略的な構成を示すブロック図であり，図２は，第１の実施の形態にかかるＩＣ制御ユニット３０７の概略的な構成を示すブロック図であり，図３は，第１の実施の形態にかかる小ログデータの概略的な構成を示す説明図である。
【００３６】
まず，図１に示すように，非接触型ＩＣカード１０１は，例えば非接触型ＩＣカード１０１から０〜１０ｃｍの近距離の範囲内（通信範囲）であれば外部の通信装置１０５と無線通信することができる無線通信装置である。
【００３７】
さらに，第１の実施の形態にかかる非接触型ＩＣカード１０１は，当該非接触型ＩＣカード１０１と同等の機能を具備するチップにモジュール化し，非接触型ＩＣカードモジュールとして携帯電話機などに組み込むことが可能である。詳細については，後述する。
【００３８】
図１に示すように，第１の実施形態にかかる非接触型ＩＣカード１０１には，アンテナ３０１と，同調部３０３と，変復調部３０５と，ＩＣ制御ユニット３０７と，検知部３０９と，報知部３１１と，ＥＥＰＲＯＭ３１３とが備わっている。
【００３９】
上記アンテナ３０１は，例えば，閉ループのコイル等を構成し，上記コイルに流れる電流が変化することで，電磁波を出力する。また，アンテナ３０１としてのコイルを通る磁束が変化することで，アンテナ３０１に電流が流れる。
【００４０】
同調部３０３は，アンテナ３０１に流れる電流を受信し，例えば，同調又は検波等を行い，変復調部３０５に出力する。
【００４１】
同調部３０３が同調又はフィルタリングする周波数帯域は，ＥＥＰＲＯＭ３１３内の製造ＩＤ等のデータにアクセスする可能性がある周波数であれば，如何なる周波数の場合でもよく，１３．５６ＭＨｚ等を例示することができる。
【００４２】
変復調部３０５は，同調部３０３から供給される信号を復調し，ＩＣ制御ユニット３０７に供給する。また，変復調部３０５は，ＩＣ制御ユニット３０７から送られてくるデータを，アンテナ３０１を介して送出するために変調する。
【００４３】
なお，変復調部３０５は，アンテナ３０１から無線信号として送出される搬送波とＩＣ制御ユニット３０７から送られてくるデータとを基にして変調する。また，復調の際も変復調部３０５は，同調部３０３から伝送される無線信号のうち搬送波を取り除いたデータに復調する。
【００４４】
ＩＣ制御ユニット３０７は，変復調部３０５から供給される信号として，例えばマンチェスタ符号などをデコードし，その無線信号からデコードされた符号情報を基に解析し，受信コマンド等を認識する。
【００４５】
なお，上記受信コマンドは，ポーリングコマンド，ＥＥＰＲＯＭ３１３に記憶された製造ＩＤ等のデータを読み出すコマンド，ＥＥＰＲＯＭ３１３の記憶領域にデータを書き込むコマンド等を例示することができる。上記製造ＩＤは，非接触型ＩＣカード１０１が工場などで製造時に割当てられる識別番号等である。
【００４６】
また一方で，ＩＣ制御ユニット３０７は，外部の通信装置１０５に無線信号として送信するデータを，例えば，マンチェスタ符号などにエンコードし，変復調部３０５に伝送する。
【００４７】
ここで，変復調部３０５における変調方式としては，例えば，振幅変調（ＡＳＫ（Ａｍｐｌｉｔｕｄｅ  Ｓｈｉｆｔ  Ｋｅｙｉｎｇ））を採用することができる。但し，変復調部３０５における変調方式は，ＡＳＫに限定されるものではなく，ＰＳＫ（Ｐｈａｓｅ  Ｓｈｉｆｔ  Ｋｅｙｉｎｇ）やＱＡＭ（Ｑｕａｄｒａｔｕｒｅ  Ａｍｐｌｉｔｕｄｅ  Ｍｏｄｕｌａｔｉｏｎ）その他を採用することが可能である。また，振幅の変調度についても８％から３０％，５０％，１００％等数値に限定されることはなく，好適なものを選択すれば良い。
【００４８】
上記検知部３０９は，電波の強度を検知する。検知部３０９では，同調部３０３で周波数帯が選択され，出力されてくる無線信号の電波の強度を検知し，その検知した結果，電波の強度が所定の電波強度を超えていた場合は，所定の強度を超える電波を検知したことを示す検知信号を生成し，報知部３１１に送信する。
【００４９】
なお，第１の実施の形態に係る周波数帯は，一つの周波数帯（１３．５６ＭＨｚ）である場合を例に挙げて説明するが，かかる例に限定されず，例えば，周波数帯は，複数の周波数帯の場合で，それらの周波数帯を検知する仕組みを備えてもよい。また，第１の実施の形態に係る無線信号の電波の強度は，例えば，電波のスペクトラム成分等で求められる磁界強度を例に挙げて説明するが，かかる例に限定されない。
【００５０】
また，第１の実施の形態にかかる所定の強度とは，例えば，磁界強度が１．５Ａ／ｍよりも大きい場合等を例に挙げて説明するが，かかる例に限定されず，任意の強度に変更することができる。
【００５１】
また，検知部３０９は，上記検知信号を生成する判断基準として，無線信号の電波強度を判断基準とする他にも，ＩＣ制御ユニット３０７によって解析された受信コマンドの内容に応じて，書き込みコマンドなど所定コマンドを受信したことを示すコマンド信号を受信すると，上記検知信号を生成する場合等でも実施可能である。
【００５２】
報知部３１１は，上記検知部３０９から検知信号を受信すると，非接触型ＩＣカードを所持する利用者などが視認できるように，外部の通信装置１０５から送出された無線信号を非接触型ＩＣカード１０１が受信していることを伝達する。
【００５３】
より具体的には，上記報知部３１１が利用者などに伝達する手段として，例えば，非接触型ＩＣカード１０１に備わる出力部（図示せず。）の画面上に電波を受信していることを示すメッセージを表示することを例示できる。なお，上記メッセージを画面上に表示する場合，報知部３１１はディスプレイである出力部を含み，さらに画面上に表示するための画面表示情報を送出する手段も兼ね備えている。
【００５４】
また，上記報知部３１１が利用者などに伝達する手段として，例えば，外部から電波を受信していることを示す光を点灯する，または，光を点滅することを例示できる。上記の場合，報知部３１１は，例えばＬＥＤに相当するが，光を放出することが可能であれば，かかる例に限定されない。
【００５５】
また，上記報知部３１１が伝達する手段として，例えば，外部から電波を受信していることを示す振動（バイブレーション）を発生することを例示できる。上記の場合，報知部３１１は，例えば汎用モーターの回転によって発生する振動ユニット装置に相当する。
【００５６】
その他にも，さらに上記報知部３１１が伝達する手段として，例えば，外部から電波を受信していることを示す音（ＢＧＭ，効果音，警告音などを含む。）を例示することができるが，かかる例に限定されず，如何なる伝達手段の場合でもよい。
【００５７】
また，上記報知部３１１は，自装置内にバッテリーのない場合でも，通信装置１０５により送出された電波から得た電源を基に動作してもよい。
【００５８】
ＩＣ制御ユニット３０７は，ＩＣ制御部等の回路を複数備えた回路群である。図２に示すように，上記ＩＣ制御ユニット３０７には，ＩＣ制御部４０１と，ＲＡＭ（Ｒａｎｄｏｍ  Ａｃｃｅｓｓ  Ｍｅｍｏｒｙ）４０３と，ＲＯＭ（Ｒｅａｄ  Ｏｎｌｙ  Ｍｅｍｏｒｙ）４０５とが備わっている。
【００５９】
上記ＩＣ制御部４０１は，上記説明したように，変復調部３０５により復調された無線信号について，エンコード／デコードを実行するブロックである。
【００６０】
また，上記ＩＣ制御部４０１は，非接触型ＩＣカード１０１に備わる各部（同調部３０１〜ＥＥＰＲＯＭ３１３）の処理を制御する。
【００６１】
ＩＣ制御部４０１は，変復調部３０５にて復調された無線信号が書き込みコマンドなどの所定コマンドであると解釈した場合，その所定コマンドであることを示すコマンド信号を生成し，解釈したコマンド単位に，検知部３０９にコマンド信号を送信してもよい。
【００６２】
さらに，ＲＯＭ４０５には，小ログ出力部４１１が格納されている。上記小ログ出力部４１１は，プログラムモジュールであって，ＩＣ制御部４０１が解釈した受信コマンド等を含んだ小さなログを生成し，ＥＥＰＲＯＭ３１３等に出力する機能を有する。
【００６３】
したがって，ＩＣ制御部４０１によって上記小ログ出力部４１１が呼び出され，実行するよう命令されると，小ログ出力部４１１は，小ログを生成し，出力する。出力された小ログは，例えば，ディスプレイなどの出力部（図示せず。）の画面上に履歴として表示されてもよい。
【００６４】
ここで，小ログについてより具体的に説明すると，図３に示すように，ＥＥＰＲＯＭ３１３には，小ログ５０１ａ，小ログ５０１ｂ，…などの１又は２以上の小ログ５０１が，小ログ出力部４１１によって生成され，記憶されている。
【００６５】
上記小ログ５０１は，外部からの電波の強度を示す「電波強度」と，外部から受信した受信コマンド等を示す「コマンド」と，実際に外部から送出された無線信号のビット列を示す実データを含んでいるが，かかる例に限定されず，例えば小ログ５０１は，コマンドのみを含む場合等でも実施可能である。
【００６６】
上記受信コマンドには，ポーリングコマンドの他にも，セキュアな情報を書き込む際に用いられるセキュア情報書き込みコマンドが存在するが，かかる例に限定されず，例えば，受信コマンドは，セキュアな情報でないノンセキュア情報を書き込む際に用いられるノンセキュア情報書き込みコマンドや，セキュア情報を読み込むためのセキュア情報読み込みコマンド，ノンセキュア情報読み込みコマンド等を例示することができる。
【００６７】
なお，第１の実施の形態にかかるＩＣ制御部４０１では，マンチェスタ符号を用いてデコード／エンコード処理する場合を例に挙げて説明したが，かかる例に限定されず，例えば，ＩＣ制御部４０１では，モディファイドミラーや，ＮＲＺなどの複数種類の符号から１つを選択してデコード／エンコード処理するようにすることが可能である。
【００６８】
再び図１に戻り，図１に示す非接触型ＩＣカード１０１には，自装置１０１内に備わる各部（同調部３０３〜ＥＥＰＲＯＭ３１３）が動作するために必要な電源を供給する電源部（図示せず。）が備わっている。
【００６９】
上記電源部は，非接触型ＩＣカード１０１を構成する各部に，必要な電源を供給するが，例えば，非接触型ＩＣカード１０１が受動的なパッシブモードしか動作しない場合は，アンテナ３０１から受信する外部の電波から電源を得て，蓄積する。
【００７０】
なお，第１の実施の形態にかかる非接触型ＩＣカード１０１による通信プロトコルは，ＮＦＣ（Ｎｅａｒ  Ｆｉｅｌｄ  Ｃｏｍｍｕｎｉｃａｔｉｏｎ）通信，ＩＳＯ／ＩＥＣ１４４４３や，ＲＦタグ（Ｒａｄｉｏ  Ｆｒｅｑｕｅｎｃｙ  Ｔａｇ）の通信について規定するＩＳＯ／ＩＥＣ１５６９３，Ｂｌｕｅｔｏｏｔｈ，さらには，ＵＷＢ（Ｕｌｔｒａ  Ｗｉｄｅ  Ｂａｎｄ），ＩＥＥＥ８０２．１１ｂなどの通信プロトコルを例示することができる。
【００７１】
また，図１に示すように，第１の実施の形態にかかる非接触型ＩＣカード１０１には，ＥＥＰＲＯＭ３１３を備える場合を例に挙げて説明したが，データを記憶し，必要に応じて消去可能な記憶手段であれば，かかる例に限定されない。
【００７２】
以上から，図１に示すように，非接触型ＩＣカード１０１は，例えば，ＥＥＰＲＯＭ３１３に記憶された情報を読み出すためのコマンドが記載された無線信号をリーダ／ライタなど外部の通信装置１０５から受信し，検知部３０９がその無線信号を検知することで，報知部３１１がユーザに無線信号が非接触型ＩＣカード１０１に送出されていることを伝達することができる。
【００７３】
なお，図１に示す外部の通信装置１０５は，アンテナ３０１Ａ，同調部３０３Ａ，変復調部３０５Ａ，制御部３０８，および記憶部（図示せず。）を備えた場合を例に挙げて説明するが，上記通信装置１０５が非接触型ＩＣカード１０１と無線通信可能な機能を具備すれば，かかる例に限定されない。
【００７４】
（第２の実施形態）
次に，図４を参照しながら，第２の実施の形態にかかる非接触型ＩＣカードについて説明する。図４は，第２の実施の形態にかかる非接触型ＩＣカードの概略的な構成を示すブロック図である。
【００７５】
なお，第２の実施の形態に係る非接触型ＩＣカード１０１ａでは，第２の実施の形態にかかる非接触型ＩＣカード１０１ａと，第１の実施の形態にかかる非接触型ＩＣカード１０１とを比較し，特に相違する点について説明する。その他については，特段の記載が無い場合実質的に同一であるため詳細な説明は省略する。
【００７６】
図４に示すように，第２の実施の形態にかかる非接触型ＩＣカード１０１ａは，上記説明の第１の実施の形態にかかる非接触型ＩＣカード１０１と比べて，報知部３１１が複数個備わる点と，報知部３１１がＩＣ制御ユニット３０７に接続している点で特に大きく相違する。
【００７７】
第２の実施の形態にかかる検知部３０９は，変復調部３０５から伝送される無線信号が所定の電波強度を超えた場合，検知信号を生成する。生成された検知信号は，ＩＣ制御ユニット３０７に送信される。
【００７８】
ＩＣ制御ユニット３０７に備わるＩＣ制御部４０１は，変復調部３０５から伝送されてくる復調された無線信号を解析し，受信コマンドを認識し，かつ，検知部３０９から検知信号を受信した場合，その認識した受信コマンドに応じて，ＩＣ制御部４０１は報知部３１１ａ及び／又は報知部３１１ｂに印加し，報知部３１１から利用者に無線信号を受信したことを伝達する。
【００７９】
かかるＩＣ制御部４０１の処理によって，検知信号を受信し，確実に非接触型ＩＣカード１０１ａが受信した無線信号のコマンドの内容に応じて，ユーザは，どのような無線信号が送出されているのか確実に把握することができ，無線信号の受信を遮断（無効化）するなど，即座に無線信号の受信に対する対応をとることができる。なお，上記外部からの無線信号の遮断については，後程説明する。
【００８０】
上記報知部３１１による伝達処理について，より具体的に説明する。なお，説明の便宜上，報知部３１１がＬＥＤである場合を例に挙げて説明するが，かかる例に限定されず，上記第１の実施の形態にかかる報知部３１１と同様に，振動，音，画面上のメッセージ表示などによる手段でも実施可能である。
【００８１】
図４に示す報知部３１１ａが赤色ＬＥＤ，報知部３１１ｂが青色ＬＥＤの場合，外部の通信装置１０５から無線信号が送出されると，検知部３０９は，無線信号の電波の強さを検知するとともに，ＩＣ制御ユニット３０７のＩＣ制御部４０１は，デコードし，無線信号のコマンドを解釈する。
【００８２】
上記ＩＣ制御部４０１が，検知部３０９から検知信号を受信し，かつ，例えば，上記無線信号の受信コマンドがポーリングコマンドであると解釈すると，赤色ＬＥＤである報知部３１１ａが点灯するように，報知部３１１ａを印加する。
【００８３】
報知部３１１ａは，ＩＣ制御部４０１によって印加されると，利用者に対してポーリングコマンドである無線信号を自装置（非接触型ＩＣカード１０１ａ）が受信していることを示す赤色の光を放出することで，利用者にその旨を伝達する。
【００８４】
また一方で，上記ＩＣ制御部４０１が解釈した受信コマンドがセキュア情報書き込みコマンドであって，かつ，検知部３０９から検知信号を受信した場合，ＩＣ制御部４０１は，青色ＬＥＤである報知部３１１ｂが点灯するように，報知部３１１ｂを印加する。
【００８５】
報知部３１１ｂは，ＩＣ制御部４０１によって印加されると，利用者に対してセキュア情報書き込みコマンドである無線信号を自装置が受信していることを示す青色の光を放出することで，利用者にその旨を伝達する。
【００８６】
以上，第２の実施の形態にかかる記検知部３０９による電波強度を検知する処理と，ＩＣ制御部４０１による無線信号のコマンドを解釈する処理とによって，電波強度が微弱な無線信号等に対してもＩＣ制御部４０１が反応し報知部３１１に誤動作させてしまうのを防ぎ，さらに非接触型ＩＣカード１０１ａが確実に無線信号を受信したことを利用者に伝達できるとともに，受信した無線信号が示すコマンドが何かを利用者に伝達することができる，という優れた効果が存在する。
【００８７】
（第３の実施形態）
次に，図５〜図７を参照しながら，第２の実施の形態にかかる非接触型ＩＣカードについて説明する。図５は，第３の実施の形態にかかる非接触型ＩＣカードの概略的な構成を示すブロック図であり，図６は，第３の実施の形態にかかるＩＣ制御ユニット３０７ａの概略的な構成を示すブロック図であり，図７は，第３の実施の形態にかかる非接触型ＩＣカードにおける無線信号処理の概略を示すフローチャートである。
【００８８】
なお，第３の実施の形態に係る非接触型ＩＣカード１０１ｂでは，第３の実施の形態にかかる非接触型ＩＣカード１０１ｂと，第１の実施の形態にかかる非接触型ＩＣカード１０１とを比較し，特に相違する点について説明する。その他については，特段の記載が無い場合実質的に同一であるため詳細な説明は省略する。
【００８９】
図５に示すように，第３の実施の形態にかかる非接触型ＩＣカード１０１ｂは，上記説明の第１の実施の形態にかかる非接触型ＩＣカード１０１と比べて，さらに変復調部３０５とＩＣ制御ユニット３０７の間に設けられたスイッチ（ＳＷ）３１９と，そのスイッチ３１９を制御するＳＷ制御部３１７とを備えている点で，まず大きく相違する。
【００９０】
上記スイッチ３１９は，変復調部３０５から送信される復調された無線信号をＩＣ制御ユニット３０７に対する伝送，ＥＥＰＲＯＭ３１３に記憶されたデータをＩＣ制御ユニット３０７を介して変復調部３０５に対する伝送，またはＩＣ制御部４０１で生成された送信コマンドを含むパケットを変復調部３０５に対する伝送を当該スイッチ３１９のＯＮ／ＯＦＦによって制御することができる。
【００９１】
また，ＳＷ制御部３１７とスイッチ３１９によって，外部からの無線信号を遮断（無効化）することが可能になることから，上記ＳＷ制御部３１７及びスイッチ３１９を外部からの無線信号を無効化する無効化部等に該当するともいえる。
【００９２】
なお，第３の実施の形態にかかるスイッチ３１９は，例えば，アナログスイッチまたはバススイッチなど，ＯＮ／ＯＦＦなどの切替可能なものであれば，いかなるスイッチでもよい。
【００９３】
上記スイッチ３１９のＯＮ／ＯＦＦのように，ステータスを切替えることによって，スイッチ３１９を制御するのは，ＳＷ制御部３１７である。ＳＷ制御部３１７は，後述のＩＣ制御ユニット３０７からＯＮ又はＯＦＦの指示信号を受信すると，その指示信号に従って，スイッチ３１９のステータスを切替える。
【００９４】
かかる構成により，スイッチ３１９をＯＦＦのステータスにすれば，外部の通信装置１０５から無線信号をＩＣ制御ユニット３０７に伝送することが不可能となり，ＥＥＰＲＯＭ３１３に記憶されたデータがアクセスされる危険も未然に防ぐことができる。
【００９５】
なお，本明細書におけるアクセスとは，例えば，外部の通信装置１０５から非接触型ＩＣカード１０１（以下，この段落につき後述の携帯通信装置１０３を含む。）への接続，非接触型ＩＣカード１０１から外部の通信装置１０５への接続，外部の通信装置１０５から非接触型ＩＣカード１０１が保有するデータの参照（又は，データの読み込み），データの保存（又は，データの書き込み），データの削除，もしくはデータの更新（又は，データの書き込み）などの情報処理を総称していう。
【００９６】
次に，図６に示すように，第３の実施の形態にかかるＲＯＭ４０５ａは，上記説明の第１の実施の形態にかかるＲＯＭ４０５と比べて，さらに遮断部４１３を記憶している点で相違する。
【００９７】
上記遮断部４１３は，プログラムモジュールであって，ＩＣ制御部４０１が解釈した受信コマンドを基にして，上記スイッチ３１９のＯＮ／ＯＦＦの切替を行うか否かを判断し，スイッチ３１９のステータスを切替える場合，切替指示信号を生成する。上記切替指示信号は，ＩＣ制御部４０１を介して，ＳＷ制御部３１７に送信される。
【００９８】
また詳細は後述するが，ＩＣ制御部４０１が解釈した受信コマンドの他に，外部の無線信号を無効化（外部の通信装置１０５からの無線信号を遮断）することの許可／不許可を基にして，スイッチ３１９のステータスの切替を判断しても良い。
【００９９】
なお，第３の実施の形態にかかるＳＷ制御部３１７は，ＩＣ制御ユニット３０７とは別体である場合を例に挙げて説明したが，かかる例に限定されず，例えば，ＳＷ制御部３１７は，ＩＣ制御ユニット３０７内のＩＣ制御部４０１に一体的に備わる場合でも実施可能である。
【０１００】
次に，図７を参照しながら，第３の実施の形態にかかる非接触型ＩＣカード１０１ｂにおける信号検知や外部信号遮断など一連の無線信号処理について説明する。
【０１０１】
図７に示すように，まず，外部の通信装置１０５が非接触型ＩＣカード１０１ｂに近づくことによって，外部の通信装置１０５から非接触型ＩＣカード１０１ｂのアンテナ３０１が無線信号を受信している場合（Ｓ６００），同調部３０３は，その所定周波数の電波を同調し（Ｓ６０１），変復調部３０５が無線信号を復調する（Ｓ６０３）。
【０１０２】
次に，検知部３０９は，変復調部３０５により復調された無線信号の電波の強度を検知して（Ｓ６０５），その電波の強度が所定の電波強度以上である場合（Ｓ６０７），報知部３１１は，利用者に対して外部の通信装置１０５から無線信号を受信したことを伝達する（Ｓ６０９）。
【０１０３】
一方，変復調部３０５により復調された無線信号は，ＩＣ制御部ユニット３０７に送信されて，ＩＣ制御部４０１がその復調された無線信号をデコードし，デコード後の符号情報を解析することで，受信コマンドを把握する。
【０１０４】
小ログ出力部４１１は，ＩＣ制御部４０１が把握した受信コマンドを基にして小ログを生成し，ＥＥＰＲＯＭ３１３等の記憶手段に小ログを格納する（Ｓ６１１）。
【０１０５】
次に，ＩＣ制御部４０１が受信コマンドを把握すると，遮断部４１１は切替指示信号を生成し，ＩＣ制御部４０１は，その切替指示信号をＳＷ制御部３１７に送信する。
【０１０６】
上記切替指示信号を受信したＳＷ制御部３１７は，スイッチ３１９をＯＦＦのステータスに切替える（Ｓ６１３）。かかるスイッチ３１９の切替によって，外部の通信装置１０５からのアクセスを一切受付けないようにすることができる，一切拒否することができる。
【０１０７】
なお，第３の実施の形態にかかる利用者に報知する処理（Ｓ６０９）と小ログを出力する処理（Ｓ６１１）は順に実行される場合を例に挙げて説明したが，かかる例に限定されず，利用者に報知する処理（Ｓ６０９）の実行開始と略同時に又は前後に小ログを出力する処理（Ｓ６１１）が並列的に実行されてもよい。
【０１０８】
（第４の実施形態）
次に，図８〜図９を参照しながら，第４の実施の形態にかかる非接触型ＩＣカードについて説明する。図８は，第４の実施の形態にかかる非接触型ＩＣカードの概略的な構成を示すブロック図であり，図９は，第４の実施の形態にかかる非接触型ＩＣカードにおける無線信号処理の概略を示すフローチャートである。
【０１０９】
なお，第４の実施の形態に係る非接触型ＩＣカード１０１ｃでは，第４の実施の形態にかかる非接触型ＩＣカード１０１ｃと，第２又は第３の実施の形態にかかる非接触型ＩＣカード１０１とを比較し，特に相違する点について説明する。その他については，特段の記載が無い場合実質的に同一であるため詳細な説明は省略する。
【０１１０】
図８に示すように，第４の実施の形態にかかる非接触型ＩＣカード１０１ｃは，上記説明の第２又は第３の実施の形態にかかる非接触型ＩＣカード１０１と比べて，さらに入力部３１５を備えている点で，大きく相違する。
【０１１１】
上記入力部３１５は，利用者によって外部の通信装置１０５からの無線信号を遮断してしまうことについて許可／不許可を受付ける機能を有し，その利用者から受付けた上記許可／不許可の内容をＩＣ制御部４０１に伝える機能を有する。
【０１１２】
より具体的には，上記入力部３１５は，例えば，利用者から操作指示を受けることが可能なボタン，スイッチ，レバー等の操作手段と，利用者から受付けた指示内容に対応する信号を生成してＩＣ制御部４０１に指示信号を出力する信号生成回路等とから構成されている。
【０１１３】
なお，第４の実施の形態にかかる入力部３１５は，かかる例に限定されず，例えば，ボタン，スイッチ，レバー以外にもマウス，トラックボール，トラックパッド，スタイラスペン，ジョイスティックなどのポインティングデバイス，もしくはキーボードのうち少なくとも一つ又はこれらの組合せから構成されてもよい
次に，図９を参照しながら，第４の実施の形態にかかる非接触型ＩＣカード１０１ｃにおける信号検知や外部信号遮断など一連の無線信号処理について説明する。
【０１１４】
図９に示すように，まず，外部の通信装置１０５から非接触型ＩＣカード１０１ｃのアンテナ３０１が無線信号を受信している場合（Ｓ６００），同調部３０３は，その所定周波数の電波を同調し（Ｓ６０１），変復調部３０５が無線信号を復調する（Ｓ６０３）。
【０１１５】
次に，検知部３０９は，変復調部３０５により復調された無線信号の電波の強度を検知して（Ｓ６０５），その電波の強度が所定の電波強度以上である場合（Ｓ６０７），検知部３０９は，検知信号を生成し，ＩＣ制御ユニット３０７に伝送する。
【０１１６】
次に，ＩＣ制御部４０１が変復調部３０５により復調された無線信号を受信し，さらにＩＣ制御部４０１は，その無線信号をデコードし，デコード後の符号情報を解析することで，受信コマンドを把握する。
【０１１７】
ＩＣ制御部４０１が認識した受信コマンドと，検知部３０９から受信した検知信号とに応じて，ＩＣ制御部４０１は，報知部３１１を介して利用者に伝達するか否かをまず判断する。
【０１１８】
例えば，ＩＣ制御部４０１が認識した受信コマンドが，ＥＥＰＲＯＭ３１３に記憶されたデータにアクセスする可能性が全くない何ら関係のないコマンドである場合，ＩＣ制御部４０１は，検知部３０９から検知信号を受信したとしても，報知部３１１を介して利用者に伝達しないことを決定する。
【０１１９】
また，ＩＣ制御部４０１が認識した受信コマンドが，ポーリングコマンドやセキュア情報書き込みコマンド等の受信コマンドの場合で，かつ，検知部３０９から検知信号を受信した場合，ＩＣ制御部４０１は，報知部３１１を介して利用者に伝達することを決定し，さらに，ＩＣ制御部４０１は，その受信コマンドに応じて，どの報知部３１１を介して利用者に伝達するかを決定する。
【０１２０】
例えば，ＩＣ制御部４０１が認識した受信コマンドがポーリングコマンドである場合，ＩＣ制御部４０１は，報知部３１１ａを介して利用者に伝達することを決定する。また，ＩＣ制御部４０１が認識した受信コマンドがセキュア情報読み込みコマンドの場合，ＩＣ制御部４０１は，報知部３１１ｂを介して利用者に伝達することを決定する。
【０１２１】
報知部３１１は，上記ＩＣ制御部４０１の決定に従って，ＩＣ制御部４０１により印加されると，利用者に対して外部の通信装置１０５から無線信号を受信したことを伝達する（Ｓ６０９）。
【０１２２】
小ログ出力部４１１は，ＩＣ制御部４０１が把握した受信コマンド，検知部３０９により検知された無線信号の電波の強さ（電波強度）を基にして小ログを生成し，ＥＥＰＲＯＭ３１３等の記憶手段に小ログ５０１を格納する（Ｓ６１１）。
【０１２３】
次に，ＩＣ制御部４０１により解釈された受信コマンドの種類と，検知部３０９により送信される検知信号の有無と，入力部３１５により送信されるロックすることを許可する許可指示信号の有無（Ｓ６１２）とを基にして，遮断部４１１は切替指示信号を生成するか否かを判断する。
【０１２４】
例えば，上記ＩＣ制御部４０１が解釈したコマンドがポーリングコマンドで，検知部３０９による検知信号が生成され，報知部３１１ａを介して利用者に無線信号を受信した旨が伝達された場合，遮断部４１１は，その報知部３１１ａによる報知によって，入力部３１５から許可指示信号を受信すると（Ｓ６１２），切替指示信号を生成する。
【０１２５】
なお，入力部３１５は，報知部３１１による伝達した後，利用者から許可／不許可を受付ける場合のみならず，予め利用者から許可／不許可を受付ける場合でも実施可能である。したがって，予め利用者から許可することを受付けた場合，許可指示信号をＩＣ制御ユニット３０７に送信し続ける。
【０１２６】
また例えば，上記ＩＣ制御部４０１が解釈したコマンドがセキュア情報読み込みコマンドで，検知部３０９による検知信号が生成され，報知部３１１ｂを介して利用者に無線信号を受信した旨が伝達された場合，遮断部４１１は，入力部３１５から信号遮断を許可する指示信号を受信するか否かによらず（Ｓ６１２），スイッチ３１９をＯＦＦにする切替指示信号を生成してもよい。かかる受信コマンドの内容に応じて自動的にロックすることを判断しても良い。
【０１２７】
上記遮断部４１１により切替指示信号が生成されると，ＩＣ制御部４０１を介してＳＷ制御部３１７に送信され，スイッチ３１９がＯＦＦのステータスに切換わり，外部の通信装置１０５からのアクセスは受付けない（Ｓ６１３）。
【０１２８】
なお，上記外部からの無線信号が一切受付けず（Ｓ６１３），再び非接触型ＩＣカード１０１ｃが外部の通信装置１０５と無線通信する場合，利用者が入力部３１５を介して無線信号を受信することを許可する指示信号を，携帯制御部８０１からＳＷ制御部３１７に送信することで，再び無線通信することができる。
【０１２９】
（第５の実施形態）
次に，図１０〜図１３を参照しながら，第５の実施の形態にかかる非接触型ＩＣモジュールを備える携帯通信装置について説明する。図１０は，第５の実施の形態にかかる携帯通信装置の概略的な構成を示すブロック図であり，図１１は，第５の実施の形態にかかる携帯制御ユニット７０７の概略的な構成を示すブロック図であり，図１２は，第５の実施の形態にかかる大ログデータの概略的な構成を示す説明図であり，図１３は，第５の実施の形態にかかる携帯通信装置における無線信号処理の概略を示すフローチャートである。
【０１３０】
図１０に示す携帯通信装置１０３は，外部の通信装置１０５と無線通信可能であって，利用者が持ち運び可能な装置である。なお，かかる例に限定されず，無線通信以外にも光ファイバーケーブル等の有線で通信する機能を携帯通信装置１０３が具備しても良い。
【０１３１】
携帯通信装置１０３は，具体的には，携帯電話機，ＰＤＡ（Ｐｅｒｓｏｎａｌ  Ｄｉｇｉｔａｌ  Ａｓｓｉｓｔａｎｔ），ノート型パソコン（ノート型パーソナルコンピュータ）などを例示することができる。なお，以下では，便宜上，携帯通信装置１０３は携帯電話機である場合を例に挙げて説明する。
【０１３２】
図１０に示すように，携帯通信装置１０３は，非接触型ＩＣカード１０１と，通話又はパケット通信などに用いられるアンテナ７０１と，携帯電話回路７０３と，携帯制御ユニット７０７と，報知部３１１（３１１ａ，３１１ｂ）と，ＧＰＳ７０９とを備えている。
【０１３３】
図１０に示す非接触型ＩＣカード１０１は，携帯通信装置１０３内に組み込み可能なようにチップ化されて，携帯通信装置１０３の携帯電話回路７０３が配置される基板と同じ基板に備え付けられるが，かかる例に限定されず，非接触型ＩＣカード１０１は，非接触型ＩＣカード１０１自体を一つのモジュールとしてチップ化せずに，そのまま携帯通信装置１０３に設けられたスロットに挿入される等の場合でも実施可能である。
【０１３４】
なお，第５の実施の形態にかかる非接触型ＩＣカード１０１は，上記説明した通り，第１〜第４の実施の形態にかかる非接触型ＩＣカード１０１と実質的に同一であるため，詳細な説明は省略する。
【０１３５】
上記携帯電話回路７０３は，記憶部（図示せず。），表示部（図示せず。）や，ボタン等の入力部（図示せず。）等を備えることで，通話機能を具備し，さらに記憶部にインストールされたブラウザ等のプログラムによって，アンテナ７０１を介した無線通信を行い，ＷＷＷサーバやメールサーバ等にアクセスすることができる。さらに，携帯電話回路７０３には，携帯通信装置１０３内の各部に電源を供給するバッテリーも備わっている。
【０１３６】
上記ＧＰＳ（Ｇｌｏｂａｌ  Ｐｏｓｉｔｉｏｎｉｎｇ  Ｓｙｓｔｅｍ）７０９は，ＧＰＳ衛星からの電波を利用して，緯度，経度，高度などを測位する機能を具備している。ＧＰＳ７０９は，測位すると測位した結果を示す測位情報を生成する。なお，測位情報は，測位した日付，緯度，経度，高度などから構成される場合でも良いし，地図データを記憶部等に格納しておくことで，上記測位した緯度，経度とマッチングする地名等が測位情報に含む場合でも良い。
【０１３７】
なお，第６の実施の形態にかかるＧＰＳ７０９は，ＧＰＳ衛星からの電波を利用して測位する場合を例に挙げて説明するが，かかる例に限定されず，例えば，ＧＰＳ７０９は，場所は，携帯電話の基地局の位置を示す基地局情報などを基地局から取得することによって測位する場合等でも実施可能である。
【０１３８】
上記携帯制御ユニット７０７は，携帯制御部等の回路を複数備えた回路群である。図１１に示すように，上記携帯制御ユニット７０７には，携帯制御部８０１と，ＲＡＭ８０３と，ＲＯＭ８０５とが備わっている。
【０１３９】
上記携帯制御部８０１は，携帯通信装置１０３に備わる各部（携帯電話回路７０３〜ＧＰＳ７０９など）の処理を制御する。例えば，携帯制御部８０１は，検知部３０９から検知信号を受信すると，ＧＰＳ７０９に測位情報を生成するよう指示する。
【０１４０】
また，携帯制御部８０１は，検知部３０９から検知信号を受信し，報知部３１１を印加する。なお，上記報知部３１１が印加されると利用者にアンテナ３０１を介して外部から無線信号を受信したことが伝達される。
【０１４１】
なお，どの報知部３１１によって利用者に伝達するかは，例えば，ＧＰＳ７０９から受信する測位情報や，検知信号に含まれる電波強度などを基にして，携帯制御部８０１が判断する。
【０１４２】
例えば，測位情報から利用者の自宅周辺の場合，検知信号を受信した携帯制御部８０１は報知部３１１ａを選択し，その報知部３１１ａを印加し，利用者に無線信号を受信したことを伝達する。なお，報知部３１１による利用者に対する伝達は，上記第１〜第４の実施の形態にかかる報知部３１１と同様であるため，詳細な説明は省略する。
【０１４３】
さらに，ＲＯＭ８０５には，大ログ出力部８１１が格納されている。上記大ログ出力部８１１は，プログラムモジュールであって，ＧＰＳ７０９からの測位情報（日付など含む。），検知部３０９からの検知信号（電波強度を含む。），またはＩＣ制御部４０１が解釈した受信コマンドのうち少なくとも一つを含んだ小ログよりも情報量が多い大ログを生成し，ＲＡＭ８０３又は携帯電話回路７０３に備わる記憶部に出力する機能を有する。
【０１４４】
したがって，携帯制御部８０１によって上記大ログ出力部８１１が呼び出され，実行するよう命令されると，大ログ出力部８１１は，大ログを生成し，出力する。出力された大ログは，例えば，携帯電話回路部７０３に備わる表示部（図示せず。）の画面上に履歴として表示されてもよい。
【０１４５】
ここで，大ログについてより具体的に説明すると，図１２に示すように，携帯電話回路部７０３に備わる記憶部又はＲＡＭ８０３には，大ログ５０３ａ，大ログ５０３ｂ，…などの１又は２以上の大ログ５０３が，大ログ出力部８１１によって生成され，記憶されている。
【０１４６】
上記大ログ５０３は，ＧＰＳ７０９が測位した時間（又は，検知部３０９が検知信号を生成した時間に同じ。）と，ＧＰＳ７０９が測位した場所と，外部からの電波の強度を示す電波強度と，外部からの受信コマンド等を示すコマンドと，実際に外部から送出された無線信号のビット列を示す実データのうち少なくとも一つを含んでいるが，かかる例に限定されず，例えば大ログ５０１は，上記時間と，コマンドのみを含む場合等でも実施可能である。
【０１４７】
また，上記大ログ５０３に含む受信コマンドには，ポーリングコマンドや，セキュア情報書き込みコマンドが存在するが，かかる例に限定されず，例えば，受信コマンドは，ノンセキュア情報書き込みコマンドや，セキュア情報読み込みコマンド，ノンセキュア情報読み込みコマンド等が存在する。
【０１４８】
次に，図１３を参照しながら，第５の実施の形態にかかる携帯通信装置１０３における信号検知や利用者に対する報知など一連の無線信号処理について説明する。
【０１４９】
図１３に示すように，まず，外部の通信装置１０５が携帯通信装置１０３に近づくことによって，外部の通信装置１０５から携帯通信装置１０３に備わる非接触型ＩＣカード１０１のアンテナ３０１が無線信号を受信している場合（Ｓ９００），同調部３０３は，その所定周波数の電波を同調し（Ｓ９０１），変復調部３０５が無線信号を復調する（Ｓ９０３）。
【０１５０】
次に，検知部３０９は，変復調部３０５により復調された無線信号の電波の強度を検知して（Ｓ９０５），その電波の強度が所定の電波強度以上である場合（Ｓ９０７），検知部３０９は，検知信号を生成し，携帯制御ユニット７０７に送信する。
【０１５１】
携帯制御部８０１は，検知信号を受信すると，報知部３１１ａ又は報知部３１１ｂを印加し，報知部３１１は，利用者に対して無線信号を受信したことを報知する（Ｓ９０９）。例えば，検知信号に含まれる電波強度が所定強度よりも非常に高い場合，携帯制御部８０１は，報知部３１１ａを印加する。つまり，報知部３１１ａは利用者に対して，無線信号を受信したことを示すとともに，携帯通信装置１０３と非常に近い場所に外部の通信装置１０５が存在するため電波強度が非常に強いことも伝達している。なお，電波強度が非常に強い以外は，報知部３１１ｂが利用者に報知する。
【０１５２】
また，携帯制御部８０１は，検知信号を受信すると，ＧＰＳ７０９に対し測位するように指示する。
【０１５３】
ＧＰＳ７０９は，携帯制御部８０１から指示があると，測位し，上記説明したように，測位情報を生成し，携帯制御部８０１に送信する。
【０１５４】
携帯制御部８０１は，上記測位情報を受信すると，大ログ出力部８１１を起動する。大ログ出力部８１１は，上記測位情報と，検知部３０９からの検知信号とを基にして，大ログを生成し，ＲＡＭ８０３等に格納する。なお，上記大ログには，測位した時間（日付を含む。），電波の強度，および場所が含まれたデータである。
【０１５５】
なお，第５の実施の形態にかかる利用者に報知する処理（Ｓ９０９）と大ログを出力する処理（Ｓ９１１）は順にシーケンス通り実行される場合を例に挙げて説明したが，かかる例に限定されず，利用者に報知する処理（Ｓ９０９）の実行開始と略同時に又は前後に大ログを出力する処理（Ｓ９１１）が並列的に実行されてもよい。
【０１５６】
（第６の実施形態）
次に，図１４〜図１６を参照しながら，第６の実施の形態にかかる非接触型ＩＣカードについて説明する。図１４は，第６の実施の形態にかかる携帯通信装置の概略的な構成を示すブロック図であり，図１５は，第６の実施の形態にかかる携帯制御ユニットの概略的な構成を示すブロック図であり，図１６は，第６の実施の形態にかかる携帯通信装置における無線信号処理の概略を示すフローチャートである。
【０１５７】
なお，第６の実施の形態に係る携帯通信装置１０３ａでは，第６の実施の形態にかかる携帯通信装置１０３ａと，第５の実施の形態にかかる携帯通信装置１０３とを比較し，特に相違する点について説明する。その他については，特段の記載が無い場合実質的に同一であるため詳細な説明は省略する。
【０１５８】
図１４に示すように，第６の実施の形態にかかる携帯通信装置１０３ａは，上記説明の第５の実施の形態にかかる携帯通信装置１０３と比べて，さらにさらに変復調部３０５とＩＣ制御ユニット３０７の間に設けられたスイッチ（ＳＷ）３１９と，そのスイッチ３１９を制御するＳＷ制御部３１７と，入力部７１５を備えている点で，大きく相違する。
【０１５９】
上記入力部７１５は，利用者から受付けた外部からの無線信号を拒否することの許可／不許可の内容を携帯制御ユニット７０７の携帯制御部８０１に伝える機能を有する。なお，上記以外については，入力部３１５と実質的に同一であるため，詳細な説明は省略する。
【０１６０】
次に，図１５に示すように，第６の実施の形態にかかるＲＯＭ８０５ａは，上記説明の第５の実施の形態にかかるＲＯＭ８０５と比べて，さらに遮断部８１３を記憶している点で相違する。
【０１６１】
上記遮断部８１３は，プログラムモジュールであって，ＩＣ制御部４０１が解釈した受信コマンドと，入力部７１５からの指示信号と，検知部３０９からの検知信号とを基にして，上記スイッチ３１９のＯＮ／ＯＦＦの切替を行うか否かを判断し，スイッチ３１９のステータスを切替える場合，切替指示信号を生成する。なお，ＩＣ制御部４０１が解釈した受信コマンドは，コマンド信号として検知部３０９を介してそのまま携帯制御部８０１に送信される。
【０１６２】
上記切替指示信号は，携帯制御部８０１から検知部３０９を介して，ＩＣ制御ユニット３０７に送信される。さらに，切替指示信号は，ＩＣ制御ユニット３０７のＩＣ制御部４０１からＳＷ制御部３１７に送信される。
【０１６３】
次に，図１６を参照しながら，第６の実施の形態にかかる携帯通信装置１０３ａにおける信号検知や外部信号遮断など一連の無線信号処理について説明する。
【０１６４】
図１６に示すように，まず，外部の通信装置１０５から携帯通信装置１０３ａのアンテナ３０１が無線信号を受信している場合（Ｓ９００），同調部３０３は，その所定周波数の電波を同調し（Ｓ９０１），変復調部３０５が無線信号を復調する（Ｓ９０３）。
【０１６５】
次に，検知部３０９は，変復調部３０５により復調された無線信号の電波の強度を検知して（Ｓ９０５），その電波の強度が所定の電波強度以上である場合（Ｓ９０７），検知部３０９は，検知信号を生成し，携帯制御ユニット７０７に伝送する。
【０１６６】
さらに，携帯制御部８０１は，ＩＣ制御部４０１により解釈された受信コマンドを示すコマンド信号を受信する。
【０１６７】
携帯制御部８０１は，検知信号を受信すると，ＧＰＳ７０９に対して測位するよう指示し，ＧＰＳ７０９から測位情報を受信する。
【０１６８】
次に，上記ＩＣ制御部４０１からのコマンド信号と，検知部３０９から受信した検知信号と，ＧＰＳ７０９からの測位情報とに応じて，携帯制御部８０１は，報知部３１１を介して利用者に伝達するか否かをまず判断する。
【０１６９】
なお，上記携帯制御部８０１による報知部３１１を介して利用者に伝達するか否かの判断は，第４の実施の形態に係るＩＣ制御部４０１による判断，又は，第５の実施の形態に係る携帯制御部４０１による判断と実質的に同じであるため詳細な説明は省略する。
【０１７０】
報知部３１１は，上記携帯制御部８０１の決定に従い携帯制御部８０１により印加されると，利用者に対して外部の通信装置１０５から無線信号を受信したことを伝達する（Ｓ９０９）。
【０１７１】
次に，大ログ出力部４１１は，携帯制御部８０１が取得したコマンド信号，ＧＰＳ７０９からの測位情報，または検知部３０９により検知された無線信号の電波の強さ（電波強度）を基にして大ログを生成し，ＲＡＭ８０３等の記憶手段に大ログ５０３を格納する（Ｓ９１１）。
【０１７２】
次に，ＩＣ制御部４０１により解釈された受信コマンドの種類と，ＧＰＳ７０９からの測位情報と，検知部３０９により送信される検知信号の有無と，入力部７１５により送信される指示信号の有無（Ｓ９１２）とを基にして，遮断部８１１は切替指示信号を生成するか否かを判断する。
【０１７３】
例えば，上記ＩＣ制御部４０１が解釈した受信コマンドがポーリングコマンドで，検知部３０９による検知信号が生成され，入力部７１５により外部からの信号を遮断することを許可する指示信号が送信され，ＧＰＳ７０９から測位情報が自宅内以外の場所を示す場合，遮断部４１１は，スイッチ３１９をＯＦＦにする切替指示信号を生成する。
【０１７４】
なお，入力部７１５は，報知部３１１による伝達した後，利用者から許可／不許可を受付ける場合のみならず，予め利用者から許可／不許可を受付ける場合でも実施可能である。したがって，予め利用者から外部からの信号を遮断することを許可する指示信号を受付けた場合，許可指示信号を携帯制御ユニット７０７に送信し続ける。
【０１７５】
また例えば，上記ＩＣ制御部４０１が解釈したコマンドがセキュア情報読み込みコマンドで，検知部３０９による検知信号が生成され，ＧＰＳ７０９からの測位情報が自宅以外を示す場合，遮断部８１１は，入力部７１５から許可する指示信号を受信するか否かによらず（Ｓ９１２），スイッチ３１９をＯＦＦにする切替指示信号を生成してもよい。つまり，かかる受信コマンドの内容に応じて装置自ら自動的にロックすることを判断しても良い。
【０１７６】
上記遮断部８１１により切替指示信号が生成されると，当該切替指示信号は，携帯制御ユニット７０７からＩＣ制御部４０１を介してＳＷ制御部３１７に送信され，スイッチ３１９がＯＦＦのステータスに切換わり，外部の通信装置１０５からのアクセスが一切拒否される（Ｓ９１３）。
【０１７７】
なお，上記外部からの無線信号が一切拒否された（Ｓ９１３）上で，再び携帯通信装置１０３ａが外部の通信装置１０５と無線通信する場合，利用者が入力部７１５を介して無線信号を受信することを許可する指示信号を携帯制御部８０１からＳＷ制御部３１７に送信することで，再び無線通信することができる。
【０１７８】
なお，上述した一連の処理は，専用のハードウェアにより行うこともできるし，ソフトウェアにより行うこともできる。一連の処理をソフトウェアによって行う場合には，そのソフトウェアを構成するプログラムが，汎用のコンピュータやマイクロコンピュータ等の情報処理装置にインストールされ，上記情報処理装置を非接触型ＩＣカード１０１及び／又は携帯通信装置１０３として機能させる。
【０１７９】
プログラムは，コンピュータに内蔵されている記録媒体としてのハードディスク１０５やＲＯＭ１０３に予め記録しておくことができる。
【０１８０】
あるいはまた，プログラムは，ハードディスクドライブに限らず，フレキシブルディスク，ＣＤ−ＲＯＭ（Ｃｏｍｐａｃｔ  Ｄｉｓｃ  Ｒｅａｄ  Ｏｎｌｙ  Ｍｅｍｏｒｙ），ＭＯ（Ｍａｇｎｅｔｏ  Ｏｐｔｉｃａｌ）ディスク，ＤＶＤ（Ｄｉｇｉｔａｌ  Ｖｅｒｓａｔｉｌｅ  Ｄｉｓｃ），磁気ディスク，半導体メモリなどのリムーバブル記録媒体に，一時的あるいは永続的に格納（記録）しておくことができる。このようなリムーバブル記録媒体は，いわゆるパッケージソフトウエアとして提供することができる。
【０１８１】
なお，プログラムは，上述したようなリムーバブル記録媒体からコンピュータにインストールする他，ダウンロードサイトから，ディジタル衛星放送用の人工衛星を介して，コンピュータに無線で転送したり，ＬＡＮ（Ｌｏｃａｌ  Ａｒｅａ  Ｎｅｔｗｏｒｋ），インターネットといったネットワークを介して，コンピュータに有線で転送し，コンピュータでは，そのようにして転送されてくるプログラムを受信し，内蔵するハードディスクにインストールすることができる。
【０１８２】
ここで，本明細書において，コンピュータに各種の処理を行わせるためのプログラムを記述する処理ステップは，必ずしもフローチャートとして記載された順序に沿って時系列に処理する必要はなく，並列的あるいは個別に実行される処理（例えば，並列処理あるいはオブジェクトによる処理）も含むものである。
【０１８３】
また，プログラムは，１のコンピュータにより処理されるものであっても良いし，複数のコンピュータによって分散処理されるものであっても良い。
【０１８４】
以上で，第１〜第６の実施の形態にかかる非接触型ＩＣカード１０１又は携帯通信装置１０３について説明したが，かかる非接触型ＩＣカード１０１又は携帯通信装置１０３によって以下に示すような優れた効果が存在する。
（１）非接触型ＩＣカード１０１又は携帯通信装置１０３は外部からの無線信号を検知し，その無線信号が示すコマンド等の内容を利用者に対し即座に伝達することができ，利用者は，例えば，自ら所有している非接触型ＩＣカード１０１又は携帯通信装置１０３内のＥＥＰＲＯＭ３１３内に記憶されたデータに対して外部からアクセスを試みる無線信号が存在していることを瞬時に認識することができる。
（２）利用者は，ＥＥＰＲＯＭ３１３内に記憶されたデータに対する外部からのアクセスする無線信号の存在を把握することで，上記データが読み込まれる又はＥＥＰＲＯＭ３１３内に新たなデータが書き込まれるのを防止する対策をすることができる。
（３）利用者が入力部３１５又は入力部７１５を介して外部からの無線信号を無効化することを許可する，または，非接触型ＩＣカード１０１又は携帯通信装置１０３が無線信号の内容などを基に自ら自動的に上記無効化を実行することで，外部からの無線信号を拒絶することができる。なお，その外部からの無線信号は，ＥＥＰＲＯＭ３１３内のデータがアクセス開始する通信の前に無効化される。
【０１８５】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【０１８６】
上記実施形態においては，非接触型ＩＣカード１０１には，ＥＥＰＲＯＭ３１３が備わる場合を例に挙げて説明したが，データを記憶し，必要に応じて消去可能な記憶手段であれば，本発明はかかる例に限定されない。
【０１８７】
また，上記実施形態においては，ＳＷ制御部３１７は，ＩＣ制御ユニット３０７とは別体である場合を例に挙げて説明したが，本発明はかかる例に限定されない。例えば，ＳＷ制御部３１７は，ＩＣ制御ユニット３０７内のＩＣ制御部４０１に一体的に備わる場合でも実施可能である。
【０１８８】
また，上記実施形態においては，携帯通信装置１０３においてＩＣ制御部４０１が無線信号のコマンドを解釈する場合を例に挙げて説明したが，かかる例に限定されず，例えば，携帯制御部８０１は，検知部３０９から検知信号を受信する他にも，復調された無線信号を解析して，その無線信号が示すコマンド等の内容を解釈する場合であっても実施可能である。
【０１８９】
また，上記実施形態においては，ＧＰＳ７０９は，ＧＰＳ衛星からの電波を利用して測位する場合を例に挙げて説明するが，本発明はかかる例に限定されない。例えば，ＧＰＳ７０９は，場所は，携帯電話の基地局の位置を示す基地局情報などを基地局から取得することによって測位する場合等でも実施可能である。
【０１９０】
上記実施形態においては，小ログ出力部４１１，遮断部４１３，大ログ出力部８１１，および遮断部８１３は，ソフトウェアである場合を例に挙げて説明したが，かかる例に限定されない。例えば，小ログ出力部４１１，遮断部４１３，大ログ出力部８１１，または遮断部８１３のうち少なくとも一つは，１又は２以上の回路素子から構成されるハードウェアの場合であってもよい。
【０１９１】
また，上記実施形態では，非接触型ＩＣカード１０１又は携帯通信装置１０３に報知部３１１が１又は２個備わる場合を例に挙げて説明したが，かかる例に限定されず，例えば，非接触型ＩＣカード１０１又は携帯通信装置１０３に３個以上の報知部３１１が備わる場合でも実施可能である。
【０１９２】
また，上記実施形態では，ＳＷ制御部３１７とスイッチ３１９のハードウェアが非接触型ＩＣカード１０１又は携帯通信装置１０３に備わることで，外部からの無線信号を遮断（無効化）する場合を例に挙げて説明したが，本発明はかかる例に限定されない。例えば，ＳＷ制御部３１７とスイッチ３１９が１又は２以上のモジュールからなるソフトウェアであって非接触型ＩＣカード１０１又は携帯通信装置１０３に記憶される場合であっても実施可能である。かかる場合，例えば，ＩＣ制御部４０１又は携帯制御部８０１が無線信号をデコード等した後に，ＳＷ制御部３１７及びスイッチ３１９が無線信号を無効化し，破棄（削除）することができ，その他にも無線信号が示すコマンドに従って，ＩＣ制御部４０１又は携帯制御部８０１が処理を実行しようとすると，その実行する処理自体をＳＷ制御部３１７及びスイッチ３１９が無効化することもできる。
【図面の簡単な説明】
【０１９３】
【図１】第１の実施の形態にかかる非接触型ＩＣカードの概略的な構成を示すブロック図である。
【図２】第１の実施の形態にかかるＩＣ制御ユニットの概略的な構成を示すブロック図である。
【図３】第１の実施の形態にかかる小ログデータの概略的な構成を示す説明図である。
【図４】第２の実施の形態にかかる非接触型ＩＣカードの概略的な構成を示すブロック図である。
【図５】第３の実施の形態にかかる非接触型ＩＣカードの概略的な構成を示すブロック図である。
【図６】第３の実施の形態にかかるＩＣ制御ユニット３０７ａの概略的な構成を示すブロック図である。
【図７】第３の実施の形態にかかる非接触型ＩＣカードにおける無線信号処理の概略を示すフローチャートである。
【図８】第４の実施の形態にかかる非接触型ＩＣカードの概略的な構成を示すブロック図である。
【図９】第４の実施の形態にかかる非接触型ＩＣカードにおける無線信号処理の概略を示すフローチャートである。
【図１０】第５の実施の形態にかかる携帯通信装置の概略的な構成を示すブロック図である。
【図１１】第５の実施の形態にかかる携帯制御ユニット７０７の概略的な構成を示すブロック図である。
【図１２】第５の実施の形態にかかる大ログデータの概略的な構成を示す説明図である。
【図１３】第５の実施の形態にかかる携帯通信装置における無線信号処理の概略を示すフローチャートである。
【図１４】第６の実施の形態にかかる携帯通信装置の概略的な構成を示すブロック図である。
【図１５】第６の実施の形態にかかる携帯制御ユニットの概略的な構成を示すブロック図である。
【図１６】第６の実施の形態にかかる携帯通信装置における無線信号処理の概略を示すフローチャートである。
【符号の説明】
【０１９４】
１０１      非接触型ＩＣカード
１０３      携帯通信装置
３０１      アンテナ
３０３      同調部
３０５      変復調部
３０７      ＩＣ携帯ユニット
３０９      検知部
３１１      報知部
３１３      ＥＥＰＲＯＭ
４０１      ＩＣ制御部
４１１      小ログ出力部
４１３      遮断部
８０１      携帯制御部
８１１      大ログ出力部
８１３      遮断部
【図１】
2006352574.tif 000003
【図２】
2006352574.tif 000004
【図３】
2006352574.tif 000005
【図４】
2006352574.tif 000006
【図５】
2006352574.tif 000007
【図６】
2006352574.tif 000008
【図７】
2006352574.tif 000009
【図８】
2006352574.tif 000010
【図９】
2006352574.tif 000011
【図１０】
2006352574.tif 000012
【図１１】
2006352574.tif 000013
【図１２】
2006352574.tif 000014
【図１３】
2006352574.tif 000015
【図１４】
2006352574.tif 000016
【図１５】
2006352574.tif 000017
【図１６】
2006352574.tif 000018